(57)【要約】【課題】ネジ連結帯による締付材の損傷や作業性の低下を防止する。【解決手段】ネジ収容マガジン２２は、複数のネジ１６の頭部を連続状に連結してなるネジ連結帯１４を、ネジ１６の先端を中心に向けて円形に巻いた状態で収容可能なドラム状の本体２３と、その本体２３に蝶着されて本体２３を任意に開閉可能な蓋体２５と、ネジ連結帯１４が通過可能な開口４１及びガイドスペース４３とを備え、本体２３に設けた装着部２６が、ツマミネジ２７及びネジ２８によって連続ネジ締付機１の締付機本体２及びケース４に装着可能となっている。【選択図】  図１
2004338072.tif 000002
【特許請求の範囲】
【請求項１】
平板状の可撓性テープに複数のネジの頭部を連続状に連結してなるネジ連結帯を、前記ネジの先端を中心に向けて円形に巻いた状態で収容可能なドラム状の本体と、その本体を任意に開閉可能な蓋体と、前記ネジ連結帯が通過可能な引き出し口と、連続ネジ締付機への装着手段とを備えてなるネジ収容マガジン。
【請求項２】
本体及び／又は蓋体の内面に、ネジ連結帯の引き出し動作を案内するガイド部を設けた請求項１に記載のネジ収容マガジン。
【請求項３】
モータを内蔵する締付機本体の前端に、モータ駆動で回転するドライバビットを収容したケースを突設し、そのケースの先端に、平板状の可撓性テープに複数のネジの頭部を連続状に連結してなるネジ連結帯を差し込み可能なフィーダボックスを、前記ケースから出没可能且つ突出位置へ付勢して設け、前記フィーダボックスに、前記ケースへの没入動作に応じて前記ネジ連結帯を前記ドライバビットの前方へ送り動作可能な送り機構を設けた連続ネジ締付機であって、
請求項１又は２に記載のネジ収容マガジンを装着して、そのネジ収容マガジンに収容されたネジ連結帯の端部を引き出し口から引き出して、前記フィーダボックスに差し込み可能としたことを特徴とする連続ネジ締付機。
【発明の詳細な説明】
【０００１】
【発明の属する技術分野】
本発明は、平板状の可撓性テープに複数のネジの頭部を連続状に連結してなるネジ連結帯を送り動作して、ネジを１本ずつネジ締め可能とする連続ネジ締付機に用いられるネジ収容マガジンと、そのネジ収容マガジンを用いた連続ネジ締付機とに関する。
【０００２】
【従来の技術】
連続ネジ締付機は、モータを内蔵する締付機本体の前端に、モータ駆動で回転するドライバビットを収容したケースを突設し、そのケースの先端に、ネジ連結帯を差し込み可能なフィーダボックスをケースから出没可能且つ突出位置へ付勢して設け、フィーダボックスに、ケースへの没入動作に応じてネジ連結帯をドライバビットの前方へ送り動作可能な送り機構を設けてなる。
すなわち、フィーダボックスの先端を締付材に当接させた状態で締付機本体を締付材側へ押し込むと、フィーダボックスがケース内に没入することで送り機構がネジ連結帯をネジ１本分送り、ネジをドライバビットの前方にセットする。その後ドライバビットの先端がネジ頭部に当接し、ドライバビットが回転してネジの締付を行うものである。なお、締付が完了して締付機本体を締付材から離すと、フィーダボックスがケースから突出して送り機構がネジ送り前の状態に復帰する（特許文献１参照）。
【０００３】
【特許文献１】
特開平１０−３４５５２号公報
【０００４】
【発明が解決しようとする課題】
ネジ連結帯は、フィーダボックスから垂れ下がった状態で使用されていたため、露出するネジが締付材に当接して傷つけたり、作業の邪魔になったりしていた。また、このような不具合から、ネジ連結帯の長さ（連結するネジの数）を長くすることができず、せいぜい５０本程度が上限であったため、ネジ連結帯の交換頻度が多くなり、作業性の低下を招いていた。
【０００５】
そこで、本発明は、ネジによる締付材の損傷や作業性の低下を生じさせることがなくネジ連結帯を用いることができるネジ収容マガジン及び連続ネジ締付機を提供することを目的としたものである。
【０００６】
【課題を解決するための手段】
上記目的を達成するために、請求項１に記載の発明は、ネジ連結帯をネジの先端を中心に向けて円形に巻いた状態で収容可能なドラム状の本体と、その本体を任意に開閉可能な蓋体と、ネジ連結帯が通過可能な引き出し口と、連続ネジ締付機への装着手段とを備えてなるネジ収容マガジンとしたものである。
請求項２に記載の発明は、請求項１の目的に加えて、ネジ連結帯の常にスムーズな引き出し動作を得るために、本体及び／又は蓋体の内面に、ネジ連結帯の引き出し動作を案内するガイド部を設けたものである。
【０００７】
上記目的を達成するために、請求項３に記載の発明は、連続ネジ締付機の発明として、請求項１又は２に記載のネジ収容マガジンを装着して、そのネジ収容マガジンに収容されたネジ連結帯の端部を引き出し口から引き出して、フィーダボックスに差し込み可能としたことを特徴とするものである。
【０００８】
【発明の実施の形態】
以下、本発明の実施の形態を図面に基づいて説明する。
図１は、連続ネジ締付機の一例を示す一部縦断面図である。連続ネジ締付機１は、モータ３を内蔵した締付機本体２の前端（図１の左側を前方とする）に、筒状のケース４を連結し、そのケース４の前端に、フィーダボックス５を出没可能に収納してなる。締付機本体２内上方でケース４の後方位置には、モータ３の回転が伝達されるギヤ６が中間軸７によって支持され、中間軸７の前方には、ドライバビット８を一体且つ同軸で連結するスピンドル９が、後方を中間軸７に同軸で遊挿される格好で回転可能且つ前後へ移動可能に軸支されている。１０は、中間軸７の先端とスピンドル９との間にあって、スピンドル９を中間軸７から離反する同図の前進位置へ付勢するコイルバネである。また、ギヤ６の前面とスピンドル９の後面とには、スピンドル９の後退位置で互いに噛合する複数の係合歯１１，１２が夫々突設されている。
【０００９】
フィーダボックス５は、ケース４内のコイルバネ１３によってケース４から突出し、図示しないストッパで規制される図１の前進位置へ付勢され、その内部には、ネジ連結帯１４を案内する案内部１７が形成されている。このネジ連結帯１４は、合成樹脂製で平板状の可撓性テープ（以下単に「テープ」という。）１５に複数のネジ１６，１６・・の頭部を連続状に連結したものである。また、フィーダボックス５内で案内部１７の後方には、テープ１５と係合する送り爪を周縁に突設したラチェットホイール１９や、ラチェットホイール１９と噛合する中間ギヤ２０、中間ギヤ２０と係脱されるラチェットアーム２１等からなる送り機構１８が収容されている。この送り機構１８は、フィーダボックス５の後退に伴ってラチェットホイール１９を１ピッチだけ図１での右回転させて、ネジ連結帯１４を１本のネジ分ドライバビット８の前方に送り動作するものである。
【００１０】
そして、２２はネジ連結帯１４を収納可能な箱状のネジ収容マガジン（以下単に「マガジン」という。）で、図２にも示すように、深底円形の収容空間２４を有するドラム状の本体２３と、その収容空間２４を覆う蓋体２５とを有し、本体２３の周縁に延設された装着部２６が、ケース４の下方位置及び締付機本体２の前方で装着手段となるツマミネジ２７及びネジ２８によって着脱可能に装着されている。
また、このマガジン２２は、本体２３及び蓋体２５の下端部同士が軸２９によって回転可能に蝶着される一方、反対側に位置する本体２３の装着部２６と蓋体２５の操作部３０とが係止機構３１によって係脱可能に連結されている。
【００１１】
この係止機構３１は、図３にも示すように、蓋体２５の操作部３０に左右方向へスライド可能に支持され、コイルバネ３２によって右方向への付勢状態で設けられる係止ピン３３と、その係止ピン３３の左端へ一体に固着され、蓋体２５から直交状に起立する可動ツマミ３４と、本体２３の装着部２６において、係止ピン３３の右端部と対向する面に凹設され、係止ピン３３の右端位置でその先端が係合可能な凹部３５と、操作部３０において可動ツマミ３４の上端に対向して延設される固定ツマミ３６とから構成されている。
【００１２】
よって、蓋体２５が本体２３を閉塞する状態では、係止ピン３３と可動ツマミ３４とがコイルバネ３２の付勢によって右端位置にあって、係止ピン３３と凹部３５とが係合して蓋体２５は係止される。そして、ここから可動ツマミ３４と固定ツマミ３６とを把持してコイルバネ３２の付勢に抗して可動ツマミ３４を左側へスライドさせると、係止ピン３３が凹部３５から離反する。従って、そのまま両ツマミ３４，３６を利用して蓋体２５を引き上げれば、軸２９を中心にして蓋体２５が回転し、本体２３が開放される。なお、本体２３の底部中央には、収容空間２４の深さと略同じ高さでセンターポスト３７が突設され、蓋体２５の裏面には、蓋体２５を閉じた状態でセンターポスト３７の先端が嵌合する嵌合凹部３８が凹設されている。
【００１３】
そして、マガジン２２において、装着部２６及び操作部３０より前方側の側面は、本体２３及び蓋体２５に夫々立設された壁部３９，４０によって形成されている。但し、この壁部３９，４０は、夫々装着部２６及び操作部３０まで繋がらず、図３（Ａ）に示すように蓋体２５の閉塞状態で装着部２６及び操作部３０際に開口４１が形成されるように周方向で短く形成され、その開口際の端部は、収容空間２４との接線方向へ伸びて収容空間２４よりも外方へ張り出し形成されている。
また、装着部２６には、収容空間２４よりも浅底となる円弧状の段部４２によって、収容空間２４と連続し、開口４１へ近づくに従って徐々に外方へ拡がって開口４１へ開放するガイドスペース４３が形成されている。この開口４１及びガイドスペース４３が、ネジ連結帯１４の引き出し口となる。さらに、段部４２において、ガイドスペース４３の内周面よりも収容空間２４寄りには、一段高い三角形状の膨出部４４が突設されている。
【００１４】
一方、蓋体２５の裏面で嵌合凹部３８と壁部４０との間には、嵌合凹部３８を中心とした円周方向に沿って円弧状の案内リブ４５が立設されている。同様に、操作部３０の裏面にも案内リブ４６が立設されているが、この案内リブ４６は、蓋体２５の閉塞状態で、膨出部４４との間でネジ１６が通過可能な隙間を残して膨出部４４の外側の周縁に沿った円弧状に形成されるものである。これらのセンターポスト３７，ガイドスペース４３，膨出部４４，案内リブ４５，４６が、ネジ連結帯１４の引き出し動作を案内するガイド部となっている。
【００１５】
なお、ネジ連結帯１４は、ネジ１６がテープ１５に５０本連結されるタイプで、各ネジ１６の先端を中心に向けて収容空間２４よりやや小さい円で重なるように収容空間２４の底部側から左回りで円形に巻かれており、この巻回状態でマガジン２２の収容空間２４内にセンターポスト３７を中心にした状態で収容されている。そして、ネジ連結帯１４の端部（収容空間２４内での上方側の端部）を、テープ１５がガイドスペース４３の最外を通過するようにして開口４１及びガイドスペース４３からマガジン２２の外部へ引き出せるようになっている。この端部はフィーダボックス５の案内部１７へ差し込まれる。
【００１６】
以上の如く構成された連続ネジ締付機１は、フィーダボックス５の先端を図示しない締付材の所定位置に当接させた状態で、締付機本体２を締付材側へ押し付け動作すると、フィーダボックス５がコイルバネ１３の付勢に抗してケース４内に没入する。このフィーダボックス５のケース４内での移動に伴って、送り機構１８において、図示しない案内手段によってラチェットアーム２１が回転し、中間ギヤ２０を介してラチェットホイール１９がネジ送り方向に一定角度回転して、ネジ連結帯１４が１ピッチ送られる。このネジ連結帯１４の送りにより、１本のネジ１６がドライバビット８の前方に位置する。
【００１７】
さらに締付機本体２の押し付けを続けてフィーダボックス５を没入させると、ドライバビット８の先端がネジ１６の頭部に当接してスピンドル９と共に後退するため、スピンドル９とギヤ１２との係合歯１１，１２同士が噛合し、ギヤ１２の回転がスピンドル９に伝わる。よって、ドライバビット８が回転してネジ１６が回転し、締付機本体２の押し付け動作と共にテープ１５から脱却して締付材に締め込まれる。
【００１８】
ネジ１６が完全に締め込まれた後、締付機本体２を逆に締付材から離すと、コイルバネ１３の付勢によってフィーダボックス５が今度はケース４内を突出方向へ移動する。このフィーダボックス５の突出に伴って、送り機構１８においては、ラチェットホイール１９は図示しない規制部材によって回転せず、案内手段によってラチェットアーム２１のみが締付時と逆方向へ一定角度回転して元の位置に復帰する。このように締付機本体２の押し付けと離反とを繰り返すことでネジ連結帯１４におけるネジ１６の締付が連続して行えることになる。ここでネジ連結帯１４は巻回状態でマガジン２２内に収容されているから、ネジ連結帯が全体で回転しながらネジ１本分ずつマガジン２２から引き出される。なお、ネジ連結帯１４を使い切ると、可動ツマミ３４及び固定ツマミ３６を操作して蓋体２５を開放させれば、新たなネジ連結帯１４を収容可能となる。
【００１９】
このように上記形態のマガジン２２及びそれを用いた連続ネジ締付機１によれば、複数のネジ１６を連結したネジ連結帯１４をコンパクトにまとめて連続ネジ締付機１に装着することができる。よって、ネジ連結帯１４が締付機本体２から長く垂れ下がるようなことがなく、締付材を傷つけたり、作業の邪魔になったりするおそれなく使用できる。また、ネジ連結帯は５０本は勿論、１００本等の多数のネジを連結したものも使用できるため、交換頻度が少なくなって作業効率が向上する。
さらに、ガイド部として、本体２３にはセンターポスト３７やガイドスペース４３、膨出部４４が、蓋体２５には案内リブ４５，４６が夫々設けられているから、マガジン２２内でネジ連結帯１４がばらけたりすることがなく、常にスムーズな引き出し動作が得られるようになっている。
【００２０】
特にここでは、マガジン２２の開口４１際に、外方へ張り出す壁部３９，４０を形成しているから、少しのたわみでネジ連結帯１４のネジ１６の先端が引っ掛かりやすくなっている。このため連続ネジ締付機１を横向き或いは下向きにして使用しても、ネジ１６の引っ掛かりによってネジ連結帯１４がマガジン２２から必要以上に引き出されることがなくなり、常に適正な引き出し状態で使用できる。勿論このネジ１６の引っ掛かりはフィーダボックス５における送り動作に対しては抵抗しないので、送り動作に支障を及ぼすことはない。
【００２１】
なお、マガジンの構造は上記形態に限定するものではなく、本体と蓋体との蝶着部位と係止機構との位置を上下逆としたり、左右方向で蝶着して開閉可能としたりすることもできる。また、このようなヒンジ構造に限らず、スライド構造としたり、蓋体を本体から取り外し可能としたりしても差し支えない。
さらに、本体の側面を壁部に代えて、周方向へ断続的に並設される軸体や板体にしたり、蓋体に窓を設けたりでき、ネジ連結帯を巻回状態で収容可能であれば、必ずしも全体を閉塞する構造とする必要はない。
【００２２】
一方、ガイド部の構造も上記形態に限らず、センターポストや蓋体側の案内リブを省略したりする他、案内リブを周方向にもっと長くしたり、複数個断続的に設けたり等の設計変更が可能で、ガイドスペースや膨出部、センターポストは蓋体側に設けることもできる。
また、引き出し口の構造も、上記形態よりも大きくしたり、形状を変更したりすることは可能であるが、引き出し口の位置は、上記形態のように、連続ネジ締付機への装着状態でフィーダボックスの案内部と最短距離となる位置に設けるのが望ましい。
【００２３】
その他、マガジンの連続ネジ締付機への装着手段も、ツマミネジのみを使用してより簡単に着脱可能としても良いし、ネジを使用せずにマガジン側の弾性片と締付機本体側の差込孔とで弾性的に挿脱可能としたり、さらにはマガジンに設けたベルトをケースに巻回させたり等、種々の態様が採用可能である。
また、連続ネジ締付機においても、本発明のマガジンを装着可能であれば、ドライバビットへの回転伝達機構や送り機構等は適宜設計変更可能である。
【００２４】
【発明の効果】
請求項１及び３に記載の発明によれば、ネジ収容マガジンによってネジ連結帯をコンパクトにまとめて連続ネジ締付機に装着可能となる。よって、ネジ連結帯が締付機本体から長く垂れ下がるようなことがなく、締付材を傷つけたり、作業の邪魔になったりするおそれなく使用できる。また、ネジ連結帯は５０本は勿論、１００本等の多数のネジを連結したものも使用できるため、交換頻度が少なくなって作業効率が向上する。
請求項２に記載の発明によれば、請求項１の効果に加えて、ネジ収容マガジン内でネジ連結帯がばらけたりすることがなく、常にスムーズな引き出し動作が得られる。
【図面の簡単な説明】
【図１】マガジンを装着した連続ネジ締付機の一部縦断面図である。
【図２】（Ａ）蓋体を開放した状態のマガジンの側面図である。
（Ｂ）蓋体を開放した状態のマガジンの平面図である。
【図３】（Ａ）係止機構の説明図である（係止状態）。
（Ｂ）係止機構の説明図である（非係止状態）。
【図４】（Ａ）マガジンの側面図である。
（Ｂ）マガジンの側面図である。
【符号の説明】
１・・連続ネジ締付機、２・・締付機本体、５・・フィーダボックス、８・・ドライバビット、１４・・ネジ連結帯、１８・・送り機構、２２・・ネジ収容マガジン、２３・・本体、２４・・収容空間、２５・・蓋体、２６・・装着部、３１・・係止機構、３７・・センターポスト、３９，４０・・壁部、４１・・開口、４２・・段部、４３・・ガイドスペース、４５，４６・・案内リブ。
【図１】
2004338072.tif 000003
【図２】
2004338072.tif 000004
【図３】
2004338072.tif 000005
【図４】
2004338072.tif 000006